(57)【要約】【課題】凹面鏡を用いずに、等倍の像と拡大された像の両方を見ることのできる携帯用鏡を提供すること。【解決手段】平面鏡２１と、平面鏡２１を被覆する位置と被覆しない位置との間で移動可能に設けられたルーペ３１とを備える携帯用鏡１を提供する。ルーペ３１の効果によって、凹面鏡を用いずに拡大された像を見ることができる。平面鏡２１とルーペ３１とをヒンジ接合すれば、ルーペ３１を容易に移動させることができる。ルーペ３１の拡大倍率を毛穴を見るのに適した倍率としてもよい。【選択図】図３
0003217276.tif 000002
【実用新案登録請求の範囲】
【請求項１】
平面鏡と、
前記平面鏡の大部を被覆する位置と被覆しない位置との間で移動可能に設けられたルーペとを備えることを特徴とする、携帯用鏡。
【請求項２】
前記ルーペは、円形形状であることを特徴とする、請求項１に記載の携帯用鏡。
【請求項３】
前記平面鏡を有する第１の板状部と
前記ルーペを有する第２の板状部とを備え、
前記第１の板状部と前記第２の板状部とは、前記第１の板状部の周縁においてヒンジ接合されることを特徴とする、請求項１又は２に記載の携帯用鏡。
【請求項４】
前記第１の板状部は矩形状であり、
前記第１の板状部と前記第２の板状部とは、前記矩形の１辺においてヒンジ接合されることを特徴とする、請求項３に記載の携帯用鏡。
【請求項５】
前記ルーペの拡大倍率は、１．５〜５倍であることを特徴とする、請求項１〜４のいずれか１項に記載の携帯用鏡。
【考案の詳細な説明】
【技術分野】
【０００１】
本考案は、携帯して化粧等に使用する携帯用鏡に関する。
【背景技術】
【０００２】
外出等の際に携帯し、顔面を見るための携帯用鏡（「コンパクト」と呼ばれる）が広く用いられている。ここで、広い部分を見ることと毛穴等の細かい部分を見ることとの両方の用途に携帯用鏡を利用できることが好ましい。
【０００３】
この点、特許文献１及び２には、平面鏡（通常の鏡）と凹面鏡（拡大鏡）を併用する携帯用鏡が開示されている。
【先行技術文献】
【特許文献】
【０００４】
【特許文献１】特開平０８−３１７８１５号公報
【特許文献２】特開２００６−０４３１１９号公報
【考案の概要】
【考案が解決しようとする課題】
【０００５】
特許文献１及び２に開示された携帯用鏡は、凹面鏡を用いるものであった。凹面鏡は、その製造にコストがかかってしまい、特許文献１及び２に開示された携帯用鏡を量産して販売することが困難であった。
【０００６】
本考案は、凹面鏡を用いずに、等倍の像と拡大された像の両方を見ることのできる携帯用鏡を提供することを課題とする。
【課題を解決するための手段】
【０００７】
本考案の携帯用鏡は、
平面鏡と、
前記平面鏡の大部を被覆する位置と被覆しない位置との間で移動可能に設けられたルーペとを備えることを特徴とする。
【０００８】
この特徴によれば、ルーペを平面鏡を被覆する位置に移動させて拡大された像を見ることができ、ルーペを平面鏡を被覆しない位置に移動させて等倍の像を見ることができる。ここで、「大部」とは、平面鏡の面積の６０％以上を言う。
【０００９】
本考案の携帯用鏡は、
前記ルーペは、円形形状であることを特徴とする。
【００１０】
この特徴によれば、広く用いられている円形形状のルーペを用いて本考案の携帯用鏡を構成することができる。
【００１１】
本考案の携帯用鏡は、
前記平面鏡を有する第１の板状部と
前記ルーペを有する第２の板状部とを備え、
前記第１の板状部と前記第２の板状部とは、前記第１の板状部の周縁においてヒンジ接合されることを特徴とする。
【００１２】
この特徴によれば、ヒンジ接合された２つの板状部を相対的に回動させることで、ルーペを容易に移動させることができる。
【００１３】
本考案の携帯用鏡は、
前記第１の板状部は矩形状であり、
前記第１の板状部と前記第２の板状部とは、前記矩形の１辺においてヒンジ接合されることを特徴とする。
【００１４】
この特徴によれば、十分な長さを有する矩形の１辺においてヒンジ接合される。長さを有するヒンジや２以上のヒンジを用いて安定したヒンジ接合とすることができる
【００１５】
本考案の携帯用鏡は、
前記ルーペの拡大倍率は、１．５〜５倍であることを特徴とする。
【００１６】
この特徴によれば、毛穴を見るのに適した拡大倍率となる。
【考案の効果】
【００１７】
本考案によれば、凹面鏡を用いずに、等倍の像と拡大された像の両方を見ることのできる携帯用鏡を提供することができる。
【図面の簡単な説明】
【００１８】
【図１】図１は、携帯用鏡を示す図である。（実施例１）
【図２】図２は、携帯用鏡を示す断面図である。（実施例１）
【図３】図３は、携帯用鏡を示す図である。（実施例２）
【考案を実施するための形態】
【００１９】
以下、本考案の実施例について説明する。
【実施例１】
【００２０】
図１は、携帯用鏡を示す図である。携帯用鏡１は、平面鏡部材２及びルーペ部材３を備える。図１（Ａ）は、平面鏡部材２及びルーペ部材３の双方を描いた図である。
【００２１】
平面鏡部材２は、平面鏡２１及び第１の板状部２２を備え、ヒンジ４の平面鏡部材側の部分が付されている。また、溝状の噛合せ凹部５１が設けられている。図１（Ｂ）は、平面鏡部材２のみを描いた図である。
【００２２】
ルーペ部材３は、ルーペ３１及び第２の板状部３２を備え、ヒンジ４のルーペ部材側の部分が付されている。また、凸条の噛合せ凸部５２が設けられている。図１（Ｃ）は、ルーペ部材３のみを描いた図である。
【００２３】
図２は、携帯用鏡を示す断面図である。図２（Ａ）は、図１（Ａ）におけるＳ−Ｓ線断面を描いた図である。ルーペ３１が、平面鏡２１を被覆している。この状態で平面鏡２１に反射される図面上方の物体（ユーザーの顔であると考えられる）の像は、ルーペ３１によって拡大されて見える。
【００２４】
この際、顔の中の毛穴を仔細に見るため、ルーペの拡大率を１．５〜５倍とすることが好ましい。
【００２５】
噛合せ凹部５１と噛合せ凸部５２とが噛合い、ルーペ３１を図２（Ａ）の状態で固定することができる。
【００２６】
図２（Ｂ）は、ヒンジ４を中心に第２の板状部３２を第１の板状部２２に対して回動させた状態を示す図である。噛合せ凹部５１と噛合せ凸部５２とが噛合わせを外して、図２（Ｂ）の状態とすることができる。ルーペ３１が、平面鏡２１を被覆していない。この状態で平面鏡２１に反射される図面上方の物体（ユーザーの顔であると考えられる）の像は、ルーペ３１によって拡大されることなく、等倍に見える。
【００２７】
以上詳細に説明したように、本実施例の携帯用鏡１によれば、第１の板状部２２と第２の板状部３２との相対位置をヒンジ４を中心とする回動によって変化させ、ルーペ３１を、平面鏡２１を被覆する位置と被覆しない位置との間で移動させることができる。それにより、凹面鏡を用いずに、等倍の像と拡大された像の両方を見ることのできる携帯用鏡１となる。
【００２８】
なお、ルーペ３１を、平面鏡２１を被覆する位置と被覆しない位置との間で移動させる手段は、ヒンジ４に限られない。例えば、第１の板状部２２と第２の板状部３２との一方に凸条、他方に凹溝を設けて、ルーペ３１を平面鏡２１に対して水平に移動させることもできる。
【実施例２】
【００２９】
本実施例は、平面鏡２１、第１の板状部２２及び第２の板状部３２の形状が実施例１と異なる携帯用鏡１を示すものである。等倍の像と拡大された像の両方を見ることのできるための構成は実施例１と同様であり、詳細な説明を省略する。
【００３０】
図３は、携帯用鏡を示す図である。実施例１における図１に対応する図である。
【００３１】
平面鏡２１及び第１の板状部２２は、矩形である。これに合わせ、第２の板状部３２も矩形となっている。ルーペ３１は、実施例１と同様に円形である。
【００３２】
ヒンジ４は、左右２箇所に設けられている。第１の板状部２２の矩形の１辺の長さだけの間隔があり、第１の板状部２２と第２の板状部３２との相対位置を変化させるような外力が加わった場合、１つのヒンジ４が受ける力が小さい。安定したヒンジ接合となる。
【００３３】
ヒンジ４を中心とした第２の板状部３２の第１の板状部２２に対する回動、ルーペ３１の平面鏡２１を被覆する位置と被覆しない位置との間での移動、それによる等倍の像と拡大された像の選択は、実施例１と同様である。
【００３４】
以上詳細に説明したように、本実施例の携帯用鏡１によっても、実施例１の携帯用鏡１と同様の効果を得ることができる。ヒンジ４によるヒンジ接合が安定する。
【産業上の利用可能性】
【００３５】
凹面鏡を用いずに、等倍の像と拡大された像の両方を見ることのできる携帯用鏡である。毛穴等を見るために多くの個人による利用が考えられる。また、凹面鏡を用いずに低コストで製造できるので、多くの携帯用鏡製造者による利用が考えられる。
【符号の説明】
【００３６】
１      携帯用鏡
２      平面鏡部材
２１    平面鏡
２２    第１の板状部
３      ルーペ部材
３１    ルーペ
３２    第２の板状部
４      ヒンジ
５      噛合せ部材
５１    噛合せ凹部
５２    噛合せ凸部
【図１】
0003217276.tif 000003
【図２】
0003217276.tif 000004
【図３】
0003217276.tif 000005